(57)【要約】【課題】カバー体を閉方向に付勢する付勢部材を備え、簡易に組立てることができる基板カバーを提供し、前面枠と遊技機本体の電気部品どうしを接続する配線作業が行いやすく、前面枠を閉じる際の配線の噛み込みを防ぐ遊技機を提供する。【解決手段】遊技機本体３に前面枠８が軸支され、遊技機本体３に設けられる電気部品がコネクタ４６を介して配線接続される配線基板３２を覆う基板カバー４０は、配線基板３２を覆いコネクタ４６を表出させる開口４５が形成される第一カバー体４１と、第一カバー体４１の一側に開口４５を閉塞するように開閉自在に設けられる第二カバー体４２と、第二カバー体４２を閉方向に付勢する付勢部材４３とを備え、第二カバー体４２は付勢部材４３を位置決め保持させる保持部５８が一体に形成されると共に付勢部材４３の一端が係止する係止部５９を有し、第一カバー体４１には付勢部材４３の他端が係合する係合部５１が形成されている。【選択図】図６
2011101740.tif 000002
【特許請求の範囲】
【請求項１】
遊技機本体に対して前面枠がヒンジ部を中心に開閉可能に軸支され、前記遊技機本体又は前面枠に設けられる電気部品がコネクタを介して配線接続される配線基板を覆う基板カバーであって、
前記基板カバーは前記配線基板を覆い該配線基板のコネクタを表出させる開口又は切欠が形成される第一カバー体と、該第一カバー体の一側に前記開口又は切欠を覆うようにヒンジにより開閉自在に設けられる第二カバー体と、前記第一カバー体及び第二カバー体のそれぞれに連係する連係部を有し該第二カバー体を閉方向に付勢する付勢部材とを備え、
前記第二カバー体は前記付勢部材を位置決め保持させる保持部が一体に成形されると共に該付勢部材の一方の連係部を係止する係止部を有し、前記第一カバー体には前記付勢部材の他方の連係部が係合する係合部が形成されていることを特徴とする基板カバー。
【請求項２】
前記付勢部材はコイル部を有するスプリングであり、前記保持部は第二カバー体の回転軸線方向に突設し前記コイル部を巻装する軸部であり、前記第二カバー体のヒンジは前記軸部が形成され前記スプリングが収納される枠状の収容部の側端に設けられる請求項１記載の基板カバー。
【請求項３】
前記軸部は第二カバー体の回転軸線上に設けられる請求項２記載の基板カバー。
【請求項４】
前記第二カバー体の開放動作に伴い第一カバー体側に漸次近づく収容部には軸心からの距離が軸心から第一カバー体までの最短距離より長い距離を有し第二カバー体の回動により第一カバー体と接触する接触部を有し、第一カバー体は前記接触部が接触して回動する際に撓む可撓性を備え、前記第二カバー体を回動させて、前記接触部が前記第二カバー体の回動動作により第一カバー体を撓ませ軸心より第二カバー体の開放側に移動することにより、前記接触部が第一カバー体に接触し第二カバー体を開放状態で保持可能である請求項２又は３記載の基板カバー。
【請求項５】
前記接触部は、前記第二カバー体の回転軸線周りに曲面状に形成されている請求項４記載の基板カバー。
【請求項６】
請求項１乃至５に記載の基板カバーが前記遊技機本体の前面側又は前面枠の背面側のヒンジ部側に設けられ、前記第二カバー体のヒンジが前記ヒンジ部側に設けられることを特徴とする遊技機。
【発明の詳細な説明】
【技術分野】
【０００１】
本発明は、基板カバー及びそれを備えた遊技機に関するものである。
【背景技術】
【０００２】
ぱちんこ機などの遊技機には、遊技機本体に窓部を備えた前面枠が開閉可能に組み付けられている。具体的には、ぱちんこ機の外形をなす矩形状の外枠に対して内枠が開閉可能に組み付けられ、該内枠を含む遊技機本体に対して前面枠が上下ヒンジ部を中心に開閉可能に軸支されている。
【０００３】
近年遊技機は、遊技者の興趣を高めるために、前面枠にＬＥＤ等の発光源を備えた装飾部材やスピーカ等の演出部品、遊技者が操作する演出操作ボタン，球貸し操作ボタン等の多くの電気部品や中継基板が組み付けられており、これらは遊技機本体側に設けられる配線基板、例えば制御基板（主制御基板、払出制御基板、画像制御基板等）と配線接続されている。
【０００４】
前面枠に設けられた電気部品は、遊技機本体側に設けられる配線基板と配線（配線束；ハーネス）により接続されるが、配線長を短くするため遊技機本体のヒンジ部側に設けられ、遊技機本体又は前面枠に中継基板を設けて配線接続が行われる。また、中継基板の多くは、ベース体とカバー体からなる基板ケースにより保護されており、配線作業をしやすくするために、カバー体がベース体に対して回動軸を中心として回動可能に組み付けられている（特許文献１参照）。
【０００５】
また、カバー体がベース体に対して回動軸を中心として回動可能に組み付けられているケース体として回動軸に巻回された付勢ばねによってベース体に重ね合わせた状態に付勢されている遊技機が提案されている（特許文献２参照）。
【先行技術文献】
【特許文献】
【０００６】
【特許文献１】特許第４２４８７３５号公報
【特許文献２】特開２００７−９８１４７号公報  （第８頁、図１４、図１５）
【発明の概要】
【発明が解決しようとする課題】
【０００７】
しかしながら、特許文献１に記載の遊技機にあっては、中継基板がカバー体に取り付けられているため、配線を接続するコネクタが表出しており、しかも配線の接続方向が前面枠の開閉方向と同じであるため、前面枠を勢いよく開放した際には配線が伸びきってしまい、配線が簡単に抜脱するおそれがある。また、前面枠を閉じる際には配線のたわみにより、遊技機本体と前面枠間に挟まることが頻繁に発生し断線するおそれがある。
【０００８】
また、特許文献２に記載の遊技機にあっては、付勢部材を回動軸に直接巻装しているため、カバー体を組み付ける際に小さい部品である付勢部材を取り扱うのが煩わしく、付勢部材を紛失したり組み付けに手間取ることがある。
【０００９】
本発明は、上記課題に鑑みてなされたものであり、カバー体を閉方向に付勢する付勢部材を備え、しかも簡易に組み立てることができる基板カバーを提供すると共に、前面枠と遊技機本体の電気部品どうしを接続する配線作業が行いやすく、しかも前面枠を閉じる際の配線の噛み込みを防ぐ遊技機を提供することにある。
【課題を解決するための手段】
【００１０】
上記目的を達成するために、本発明は、遊技機本体に対して前面枠がヒンジ部を中心に開閉可能に軸支され、前記遊技機本体又は前面枠に設けられる電気部品がコネクタを介して配線接続される配線基板を覆う遊技機用基板カバーであって、前記基板カバーは前記配線基板を覆い該配線基板のコネクタを表出させる開口又は切欠が形成される第一カバー体と、該第一カバー体の一側に前記開口又は切欠を覆うようにヒンジにより開閉自在に設けられる第二カバー体と、前記第一カバー体及び第二カバー体のそれぞれに連係する端部を有し該第二カバー体を閉方向に付勢する付勢部材とを備え、前記第二カバー体は前記付勢部材を位置決め保持させる保持部が一体に成形されると共に該付勢部材の一方の連係部を係止する係止部を有し、前記第一カバー体には前記付勢部材の他方の連係部が係合する係合部が形成されていることを特徴とする。尚、遊技機本体とは、遊技機前面を覆う窓部が形成された前面枠を除く部位、例えば外枠、内枠、遊技盤などを含む部位をいう。
【００１１】
また、前記付勢部材はコイル部を有するスプリングであり、前記保持部は第二カバー体の回転軸線方向に突設し前記コイル部を巻装する軸部であり、前記第二カバー体のヒンジは前記軸部が形成され前記スプリングが収納される枠状の収容部の側端に設けられる。これにより、スプリングをコンパクトに収納することができる。
【００１２】
また、前記軸部は第二カバー体の回転軸線上に設けられる。これにより、ヒンジと軸部が同一軸線上となるので、収容部をコンパクトにすることができる。
【００１３】
前記第二カバー体の開放動作に伴い第一カバー体側に漸次近づく収容部には軸心からの距離が軸心から第一カバー体までの最短距離より長い距離を有し第二カバー体の回動により第一カバー体と接触する接触部を有し、第一カバー体は前記接触部が接触して回動する際に撓む可撓性を備え、前記第二カバー体を回動させて、前記接触部が前記第一カバー体の回動動作により第二カバー体を撓ませ軸心より第二カバー体の開放側に移動することにより、前記接触部が第一カバー体に接触し第二カバー体を開放状態で保持可能である。これにより、第二カバー体を手で保持しながら配線の着脱作業をする必要がなく配線の作業効率を向上させることができる。
【００１４】
また、前記接触部は、前記第二カバー体の回転軸線周りに曲面状に形成されている。これにより、第一カバー体を傷つけることなく第二カバー体の回動がスムーズになる。
【００１５】
また、本発明の遊技機は、前記基板カバーが前記遊技機本体の前面側又は前面枠の背面側のヒンジ部側に設けられ、前記第二カバー体のヒンジが前記ヒンジ部側に設けられる。
【発明の効果】
【００１６】
本発明によれば、第二カバー体に付勢部材が簡単に装着でき、さらにこの第二カバー体を第一カバー体に組み付けるだけで、第二カバー体が閉方向に付勢された基板カバーを簡単に組み立てることができる。また、小さい部品である付勢部材を予め組み付けておくことができるので、基板カバーの組み立て時に付勢部材を紛失したりすることもなくなる。
【００１７】
また、前記基板カバーをヒンジ部側に設けると共に第二カバー体のヒンジもヒンジ部側に設けることにより、前面枠と遊技機本体の電気部品どうしを接続する配線作業が行いやすく、しかも前面枠を閉じる際の配線の噛み込みを防ぐことができる。
【図面の簡単な説明】
【００１８】
【図１】ぱちんこ機の正面図である。
【図２】ぱちんこ機の背面図である。
【図３】前面枠を開放したぱちんこ機の斜視図である。
【図４】図３の要部拡大斜視図である。
【図５】内枠から基板カバーを分解した斜視図である。
【図６】基板カバーの分解斜視図である。
【図７】（ａ）は基板カバーの正面図、（ｂ）は（ａ）のＡ−Ａ線断面図である。
【図８】（ａ）、（ｂ）は第二カバー体の作用説明図である。
【図９】（ａ）は板ばねを設けた基板カバーの要部正面図、（ｂ）は（ａ）のＢ−Ｂ線断面図である。
【発明を実施するための形態】
【００１９】
以下に、この発明を実施するための最良の形態について図面を参照して説明する。遊技機としてのぱちんこ機１は、図１及び図２に示すように、そのぱちんこ機１の外郭を形成する額縁状の外枠２を備え、その外枠２に対して、前面側に遊技盤５が装着される内枠３が開閉自在に支持されている。また、内枠３の前面にその内枠３の横幅寸法と略同じ横幅寸法を有するように構成され、遊技盤５を視認し得る窓部７を備えた前面枠８が上下ヒンジ部４により開閉自在に設けられ、前面枠８には遊技盤５の前面を覆う透明板が取り付けられている。そして、前面枠８の下方前面に遊技球を貯留し、貯留した遊技球を整流して発射装置６に遊技球を供給する球受皿９が設けられている。また、この球受皿９の右下側に遊技球の発射力を調節する発射ハンドル１０が設けられている。
【００２０】
遊技盤５は、略方形状に形成され、盤面（前面）には、図１及び図３に示すようにガイドレール１１によって全体として略円形に区画された遊技領域５ａが形成されている。遊技領域５ａの中央には液晶表示部を備えた表示装置１３が搭載され、表示装置１３の下方（遊技領域５ａの中央下部）には入賞により液晶表示部を変動表示させる電動チューリップ（電チュー）にて構成される始動口１４が配置されている。また、始動口１４の下方には電気的駆動源により扉が開閉する大入賞口１５（アタッカー）が配置され、遊技領域５ａの最下部にアウト口１６が設けられている。
【００２１】
なお、本明細書において、ぱちんこ機１における上下方向とは遊技盤５の盤面に沿う態様で遊技領域５ａを遊技球が流下する方向（鉛直方向）を意味する。また、左右方向とは遊技盤５の盤面に沿う態様で上下方向に交差（直交）する方向（水平方向）を意味し、遊技者側からみて左側、右側をいう。また、前後方向とは遊技盤５の盤面に交差（直交）する方向（水平方向）を意味し、遊技盤５の遊技者側が前側であり、遊技盤５の背面側（遊技領域５ａの反対側）が後側である。
【００２２】
図２において、内枠３の背面側上部には貯留タンク１７が設けられ、貯留タンク１７にはぱちんこ機１が配置されたホールの島から遊技球が供給される。内枠背面側は盤裏カバー１８に覆われており、そのヒンジ部４側の側部には貯留タンク１７に接続する球通路２０や貸球及び賞球を球受皿９へ払い出す球払出装置２１が設けられている。また、盤裏カバー１８の下側には、内枠３の背面側に設けられる配線基板、例えば、画像処理基板や主制御基板２２、発射制御基板２３、ランプ制御基板２８、２４ボルト交流電源を各基板のための直流の電源に変換するための電源基板２６、遊技球等貸出装置接続端子板２７等がケース体に各々収納されて組み付けられ、ランプ制御基板２８に重なるように球払出装置２１を制御するための払出制御基板２５が設けられ、内枠３の前面側に音声制御基板２９が設けられている。また、内枠３の下ヒンジ部４側には、配線（ワイヤーハーネス；配線束）３０ａが挿通する配線挿通孔（配線挿通部）３１が前後方向に貫通して設けられている。また、内枠３の下ヒンジ部４側前面には、配線（ワイヤーハーネス；配線束）３０ａを前面枠８の電気部品と接続する中継基板（配線基板）３２が設けられる収納空間部３３が形成されている。
【００２３】
また、中継基板３２は、基板カバー４０に被覆固定されており、収納空間部３３には図５に示すように、中継基板３２の位置決め突起３７と基板カバー４０を係止する係止部３８とビス着するボス３９が設けられている。実施例では、中継基板３２（３２ａ，３２ｂ）は音声制御基板２９と遊技球等貸出装置接続端子板２７，ランプ制御基板２８へ接続される２枚設けられ、それぞれ形状（大きさ）が異なっており、収納空間部３３に設置する際の取り違えを防止することができる。中継基板３２には、内枠３の背面側からの配線３０ａが接続されるコネクタ４６ａ及び前面枠８からの配線３０ｂを接続するコネクタ４６ｂが複数設けられ、内枠３の背面側からの配線３０ａが接続されるコネクタ４６ａの差し込み口は中継基板３２と平行方向（実施例では上方）から差し込まれるように設けられ、前面枠８からの配線３０ｂを接続するコネクタ４６ｂの差し込み口は中継基板３２と直交する方向（実施例では前方）から差し込まれるように設けられている。
【００２４】
前面枠８には、図１に示すようにぱちんこ機１本体（内枠３）側に設けられる配線基板（制御基板等）に配線接続する電気部品（例えばＬＥＤを備えた装飾部材１２、ボリュームを備えた操作ハンドル１０、遊技者が操作する演出操作ボタン３５，球貸し操作ボタン３６）が設けられている。そして前面枠８の背面下ヒンジ側には、図３及び図４に示すように電気部品の配線３０ｂを収納空間部３３に誘導する導出口３４が形成されている。
【００２５】
基板カバー４０は、図６に示すように中継基板３２を被覆するように横長で後方に開放しほぼ中央に開口４５が形成された箱状の第一カバー体４１と、開口４５を塞ぐように開閉自在に設けられる第二カバー体４２と、第二カバー体４２を閉方向に付勢する付勢部材（スプリング）４３とで構成されている。実施例において、付勢部材としてコイル部４３ａの両端にコイル部４３ａの軸線と交差する方向に第一カバー体４１及び第二カバー体４２のそれぞれに連係するアーム（連係部）４３ｂ、４３ｃを有しばねの軸線のまわりにねじりモーメントを受ける所謂ねじりコイルばねを使用している。
【００２６】
第一カバー体４１は、中継基板３２を押さえる押え片４４が開口４５端から垂下して設けられ、押え片４４によって形成された空間部に前面枠８からの配線３０ｂを接続するコネクタ４６ｂが臨むようになっている。第一カバー体４１の上側面には内枠３の背面側からの配線３０ａが接続されるコネクタ４６ａが臨む切欠が形成されている。そして、第一カバー体４１の一側に内枠３の係止部３８に係止する取付片４７が設けられ、他側にビス孔４８が設けられている。第一カバー体４１の前面壁４１ａの一側（下ヒンジ部４側）に第二カバー体４２が軸支される軸支孔４９を有する一対の軸支片５０が一体的に立設され、スプリング４３の一端のアーム４３ｃを係止する係止孔５１（係合部）とスプリング４３のコイル部４３ａ一側を支持しスプリング４３を抜け止めする支持片５２が設けられている。
【００２７】
第二カバー体４２は、所定の高さを有して後方が開放した中空箱状に形成されており、その中空部に配線３０ｂが収容される。また、一側にスプリング４３が収納される収容部５４が形成され、他側には側壁から前面壁にかけて切り欠かれた配線の引出部５３が形成されている。収容部５４は、上下側壁によりコ字枠状に形成され、その側端（上下壁）に軸支片５０の軸支孔４９に貫挿軸支される突起軸５６が形成されている。なお、収容部５４の側壁後方角部は、図８（ａ）拡大図に示すように第一カバー体４１の前面壁４１ａと接触する接触部５７として、軸周り方向にアール状（曲面状）に面取り形成されている。そして、突起軸５６の軸心Ｏから収容部５４の側壁後方角部（接触部５７）までの距離Ｌ１は、第二カバー体４２が第一カバー体４１の軸支片５０に軸着された際の突起軸５６の軸心Ｏから第一カバー体４１の前面壁４１ａまでの最短距離Ｌ２より僅かに長く設定されている。これにより、第二カバー体４２の第一カバー体４１との接触動作を滑らかにして、第一カバー体４１を傷つけることなく第二カバー体４２を開放状態に保持することができる。なお、第一カバー体４１は、第二カバー体４２の回動動作により接触部５７が第一カバー体４１に接触する際に撓む可撓性を備えている。
【００２８】
収容部５４は、その枠内をスプリング４３が収納される収納部５５として形成され、収納部５５には、スプリング４３のコイル部４３ａが装着され位置決め保持される軸部５８が内面一側から他側に向かって第二カバー体４２の回動軸方向に一体に突出成形されている。軸部５８は、断面十字状をしており、軸部５８の端部と収容部５４との間に所定の隙間Ｓ（図７（ａ）参照）を有している。また、第二カバー体４２の収容部５４側には、スプリング４３の一端のアーム４３ｂが係止する係止溝５９（係止部）が形成されている。なお、実施例では軸部５８は第二カバー体４２の突起軸５６間に位置しており、突起軸５６の回転軸線上に設けられているため、収容部５４をコンパクトに収めることができる。なお、実施例において基板カバー４０のヒンジを、第一カバー体４１の軸支孔４９と第二カバー体４２の突起軸５６とで構成したが、第一カバー体４１側に突起軸を設け第二カバー体４２に軸支孔を設けるようにしてもよい。
【００２９】
基板カバー４０の組立ては、スプリング４３のコイル部を縮めて収納部５５の隙間Ｓから第二カバー体４２の軸部５８に挿入して、軸部５８にスプリング４３のコイル部４３ａを巻装し、端部を支持片５２に支持させて軸部５８からの抜け止めを施し、コイル４３ａ部の一方のアーム４３ｂを係止溝５９に係止して、図６（ｂ）に示すようにスプリング４３が第二カバー体４２に装着保持される。次に、スプリング４３が仮装着された第二カバー体４２の突起軸５６を第一カバー体４１の軸支片５０を撓ませながら軸支孔４９に軸支して第二カバー体４２を取り付ける。このとき、スプリング４３のコイル部４３ａの他方のアーム４３ｃを第一カバー体４１の係止孔５１に挿入係止することで、第二カバー体４２はスプリング４３の軸周り方向の付勢により閉方向に付勢された状態で取り付けられる。このとき、第二カバー体４２の開放側はフリー状態でスプリング４３の付勢により閉鎖状態に保持される。このように、予め第二カバー体４２にスプリング４３を簡単に組み付け保持することができるので、基板カバー４０の組み立ての作業性を向上させることができる。また、第二カバー体４２の取り外しも突起軸５６を軸支孔４９から外すだけで、スプリング４３と第二カバー体４２の連係が解除され、スプリング４３が第二カバー体４２に装着保持された状態で簡単に取り外すことができる。
【００３０】
また、この様に組立てられた基板カバー４０は、第二カバー体４２を開方向に回動させて、接触部５７が第一カバー体４１の前面壁４１ａに接触し、さらに回動すると接触部５７が前面壁４１ａを押しのけて（撓ませて）回動し軸心Ｏより第二カバー体４２の開放側に移動することにより、第二カバー体４２を第一カバー体４１に接触係止させ、コネクタ４６ｂが表出した状態で保持可能である。したがって、第一カバー体４１を開放した状態で配線作業をする事ができるので、限られた狭いスペースでも作業が行いやすい。
【００３１】
内枠３の収納空間部３３に中継基板３２を取り付けるには、中継基板３２に形成された位置決め孔６０を位置決め突起３７に合致させる。そして、第二カバー体４２を組み付けた基板カバー４０を押え片４４で中継基板３２ａ，３２ｂを押さえるようにして、第一カバー体４１の取付片４７を係止部３８に差し込み係止して、ボス３９にビス着することで中継基板３２ａ，３２ｂが内枠３に固定保護される。このとき、第一カバー体４１の上壁の切欠４１ｂから内枠３の背面側からの配線（ワイヤーハーネス；配線束）３０ａが接続されるコネクタ４６ａが臨んで、開口４５から前面枠８からの配線３０ｂを接続するコネクタ４６ｂが臨むようになっている。そして、内枠３の背面側からの配線（ワイヤーハーネス；配線束）３０ａのコネクタを上壁の切欠４１ｂから臨ませて中継基板３２ａ，３２ｂのコネクタ４６ｂと接続させる。
【００３２】
そして、第二カバー体４２をスプリング４３の付勢に抗して開放させる。このとき、収容部５４の側壁後方角部（接触部５７）は軸周り方向にアール状に面取りされ、突起軸５６の軸心から接触部５７までの距離Ｌ１が、第二カバー体４２が第一カバー体４１の軸支片５０に軸着された際の突起軸５６の軸心から第一カバー体４１の前面壁４１ａまでの最短距離Ｌ２より僅かに長く設定されていることにより、第二カバー体４２の開放時に図８（ａ）仮想線に示すように収容部５４の接触部５７が第一カバー体４１の前面壁４１ａに当接する。そして、さらに第二カバー体４２を開放すると接触部５７が第一カバー体４１の前面壁４１ａを撓ませながら回動し、接触部５７が軸心と第一カバー体４１の最短距離部を通過して突起軸５６の軸心より開放側に移動（図８（ｂ）に示す状態）すると、スプリング４３の付勢により第二カバー体４２が閉じる方向に回動しようとするも、接触部５７が第一カバー体４１の前面壁４１ａに接触して第二カバー体４２の復動が阻止され、開放状態を保持する。このため、配線作業をする際に第二カバー体４２を手で支える必要がなく配線作業の効率を促進させることができる。なお、実施例において接触部５７を曲面状に面取りするようにしたが、曲面に近い多面形状又は曲面部の一部を平面部としてもよく、接触部５７の少なくとも一部を平面部とすることで、この平面部で第二カバー体４２の開放状態を安定した状態に保持することができる。なお、第一カバー体４１の前面壁４１ａを撓ませる代わりに軸支部側を撓ませるようにして、接触部５７を突起軸５６の軸心より開放側に移動させて第二カバー体４２を開放状態に保持するようにしてもよい。
【００３３】
ここで、前面枠８の内枠３に対する開閉動作と配線３０ｂの挙動の一例について説明する。図３に示すように前面枠８が内枠３から開放された状態では、前面枠８の導出口３４から導き出された配線３０ｂが、内枠３の収納空間部３３に設けられ内枠３の背面側の配線基板（制御基板等）と接続されている中継基板３２ａ，３２ｂに基板カバー４０を介して接続されている。このとき、配線３０ｂは、引出部５３から軸支側に回り込むようにしてコネクタ４６ｂに接続されている。言い換えれば、スプリング４３の閉方向の付勢により、配線３０ｂは第二カバー体４２により余剰分が折り畳まれるように接続されている。したがって、前面枠８の開放状態では配線３０ｂは伸びた状態にあるが、第二カバー体４２の開放側がフリー状態でスプリング４３の付勢により閉方向に付勢され、配線３０ｂの余剰分が折り畳まれるように接続されているため、前面枠８の開放時に勢いよく開放しても、第二カバー体４２がスプリング４３の付勢に抗して開方向に可動して折り畳まれるように接続されている配線３０ｂの余剰分が、勢いよく開放された際に引き出されて、緩衝部材の役割をなして、前面枠８の開閉に伴う配線３０ｂへの負荷を軽減することができ、配線３０ｂの断線・抜脱を防ぐことができ耐久性を向上させることができる。
【００３４】
また、前面枠８の開放状態で配線３０ｂを抜脱する際には、第二カバー体４２をスプリング４３の付勢及び接触部５７と第一カバー体４１の前面壁４１ａとの接触抵抗に抗して回動して、開放状態を保持する。このとき、第二カバー体４２の開放側は係止手段が設けられていないため簡単に開閉動作が行え、不具合が生じたとき等に開放して迅速な対応をすることができる。そして、配線３０ｂの抜脱作業を行うが、特にコネクタ４６ｂから配線３０ｂのコネクタを引き抜く場合、中継基板３２ａ，３２ｂが押え片４４によって押え込まれているので、中継基板３２ａ，３２ｂの取付構造が堅牢であり、確実に抜脱することができる。
【００３５】
次に、前面枠８を内枠３に閉じた状態にすると、第二カバー体４２が第一カバー体４１に対してヒンジ部４側に軸支され、しかもスプリング４３により閉方向に付勢されていることにより、開放状態では伸びた状態の配線３０ｂが第二カバー体４２により内枠３の開放側に折り畳まれるように収納されるため、前面枠８と内枠３に挟み込まれることがないように配線３０ｂの曲がりを抑制して断線を防ぐことができる。
【００３６】
なお、中継基板３２ａ，３２ｂを第一カバー体４１に予めビス又は係止片により取付けるようにしてもよく、内枠３に基板カバー４０を取付けることで中継基板３２ａ，３２ｂを装着することができる。
【００３７】
また、付勢部材は、ねじりコイルばねに限らず図９に示すように側面視Ω形状の板ばね６３であってもよい。また、板ばね６３は軸部５８に嵌着する筒部６３ａが一部切欠により断面Ｃ状に形成され、その切欠開口から筒部６３ａの軸線と交差する方向に第一カバー体４１及び第二カバー体４２のそれぞれに連係する板状のアーム（連係部）６３ｂ、６３ｃが延出されている。この実施例では、第一カバー体４１の前面壁４１ａに板ばね６３のアーム６３ｃが係止する係止長孔５１Ａが形成され、第二カバー体４２には板ばね６３のアーム６３ｂが係止する係止部５９Ａが形成されている。上記構成の板ばね６３は、軸部５８に筒部６３ａの開口を臨ませて図９（ｂ）に示すように嵌着し、アーム６３ｂを係止部５９Ａに係合させることで第二カバー体４２に板ばね６３を簡単に装着することができる。そして、基板カバー４０は、第二カバー体４２に仮装着された板ばね６３のアーム６３ｃを第一カバー体４１の係止長孔５１Ａに挿入係止し、突起軸５６を第一カバー体４１の軸支片５０を撓ませながら軸支孔４９に軸支して、第二カバー体４２が第一カバー体４１に板ばね６３の軸周り方向の付勢により閉方向に付勢された状態で組み付けられる。
【００３８】
また、上記実施例において、遊技機としてぱちんこ機を例に説明したが、雀球遊技機、アレンジボール式遊技機、さらに回胴式又は画像式のスロット遊技機等にも本発明を適用することができる。また、実施例に示した内容に限定されるものではなく、この発明の要旨を逸脱しない範囲で、種々の形態を実施し得るものである。
【符号の説明】
【００３９】
１                ぱちんこ機（遊技機）
３                内枠（遊技機本体）
４                ヒンジ部
８                前面枠
３０ａ，３０ｂ    配線
３２，３２ａ，３２ｂ    中継基板（配線基板）
４０              基板カバー
４１              第一カバー体
４２              第二カバー体
４３              スプリング（付勢部材）
４３ａ            コイル部
４３ｂ、４３ｃ    アーム（連係部）
４５              開口
４６ａ，４６ｂ    コネクタ
４９              軸支孔（ヒンジ）
５０              軸支片（ヒンジ）
５１              係止孔（係合部）
５１Ａ            係止長孔（係合部）
５６              突起軸（ヒンジ）
５８              軸部（保持部）
５９              係止溝（係子部）
５９Ａ            係子部
６３              板ばね（付勢部材）
６３ｂ、６３ｃ    アーム（連係部）
Ｌ１              距離
Ｌ２              最短距離
Ｏ                軸心
【図１】
2011101740.tif 000003
【図２】
2011101740.tif 000004
【図３】
2011101740.tif 000005
【図４】
2011101740.tif 000006
【図５】
2011101740.tif 000007
【図６】
2011101740.tif 000008
【図７】
2011101740.tif 000009
【図８】
2011101740.tif 000010
【図９】
2011101740.tif 000011